(57)【要約】【課題】  電源ＯＮ／ＯＦＦの状態を遷移させる電源ＯＮ／ＯＦＦ遷移手段を複数持つ機器において、機器の使用者が、機器の電源ＯＮ／ＯＦＦ状態の把握・管理に混乱をきたすことのないようにすること。【解決手段】  電源ＯＮ／ＯＦＦの状態を遷移させるための電源ＯＮ／ＯＦＦ遷移手段を複数持つ機器において、現在の電源ＯＮ／ＯＦＦの状態を示す表示手段と、どの電源ＯＮ／ＯＦＦ遷移手段によって制御されたかを示す表示手段とを具備し、現在の電源ＯＮ／ＯＦＦの状態を示す前記表示手段と、どの前記電源ＯＮ／ＯＦＦ遷移手段によって制御されたかを示す前記表示手段とは、発光色の異なる複数の発光源を持つとともに発光色の組み合わせによる色表現が可能な１つの表示部によって構成され、発光色の相違によって、前記した現在の電源ＯＮ／ＯＦＦの状態と、前記したどの前記電源ＯＮ／ＯＦＦ遷移手段によって制御されたかを、表すように構成する。【選択図】      図１
2005353095.tif 000002
【特許請求の範囲】
【請求項１】
電源ＯＮ／ＯＦＦの状態を遷移させるための電源ＯＮ／ＯＦＦ遷移手段を複数持つ機器において、
現在の電源ＯＮ／ＯＦＦの状態を示す表示手段と、どの前記電源ＯＮ／ＯＦＦ遷移手段によって制御されたかを示す表示手段とを具備し、
現在の電源ＯＮ／ＯＦＦの状態を示す前記表示手段と、どの前記電源ＯＮ／ＯＦＦ遷移手段によって制御されたかを示す前記表示手段とは、発光色の異なる複数の発光源を持つとともに発光色の組み合わせによる色表現が可能な１つの表示部によって構成され、発光色の相違によって、前記した現在の電源ＯＮ／ＯＦＦの状態と、前記したどの前記電源ＯＮ／ＯＦＦ遷移手段によって制御されたかを、表すようにしたことを特徴とする電源ＯＮ／ＯＦＦの状態を遷移させる手段を複数持つ機器。
【発明の詳細な説明】
【技術分野】
【０００１】
本発明は、電源ＯＮ／ＯＦＦの状態を遷移させる手段を複数持つ機器、特に例えば、電源キーの操作により電源をＯＮ／ＯＦＦさせたり、ＩＥＥＥ１３９４経由の電源制御信号により電源をＯＮ／ＯＦＦさせたりする、機器に関するものである。
【背景技術】
【０００２】
機器の動作状態は、電源ＯＮの状態と電源ＯＦＦの状態に大別される。その状態を切り換える手段としては、通常電源キーが用いられる。主電源キーが存在する機器の場合でも、主電源が入った状態で電源ＯＮの状態と電源ＯＦＦの状態に分けられる場合がほとんどであり、電源ＯＮの状態で電源キーが押されれば電源ＯＦＦの状態に遷移し、電源ＯＦＦの状態で電源キーが押されれば電源ＯＮの状態に遷移する。
【０００３】
従来機器の多くは、特開平１−７３８７２号公報（特許文献１）などに記載されているように、動作状態（電源ＯＮ／ＯＦＦの状態）を示すための表示部が具備されている。これは例えば、電源ＯＮ時には緑色に点灯し、電源ＯＦＦ時には赤色に点灯するように、２色のＬＥＤや他の発光手段を用いることで実現されている。また、特開平６−２９５５７８号公報（特許文献２）に記載されているように、表示色に加えて、明るさを変えることで、電源ＯＮ／ＯＦＦの状態を確実に認識させるような技術も知られている。
【０００４】
ここで、機器の電源ＯＮ／ＯＦＦの状態を切り換える手段（電源ＯＮ／ＯＦＦ遷移手段）としては、本体キー、リモコンなどのように形態は異なっても、電源キーという１つの切り換え手段を用いることで、電源ＯＮ／ＯＦＦの状態の遷移が行われることが一般的である。このような場合には、機器の使用者は、電源ＯＮ／ＯＦＦ遷移手段（ここでは電源キー）の操作を迷いなく行うことができ、また、電源ＯＮ／ＯＦＦの状態を示す表示部によって、機器の電源ＯＮ／ＯＦＦの状態を把握・管理することも容易である。
【０００５】
ところで、電源ＯＮ／ＯＦＦの状態を遷移させる手段（電源ＯＮ／ＯＦＦ遷移手段）を、複数持つ機器（電源キーによる電源ＯＮ／ＯＦＦ遷移手段と、これ以外の電源ＯＮ／ＯＦＦ遷移手段を持つ機器）も存在する。このような機器として、電源キー（本体キーやリモコン）と、ＩＥＥＥ１３９４端子（ＩＥＥＥ１３９４シリアル・インターフェース規格に準拠した端子）とを持ち、ＬＩＮＫ−ＯＮ、ＬＩＮＫ−ＯＦＦコマンドに対応する機能をもつ、例えばディジタル放送受信機を例に挙げる。そして、このディジタル放送受信機のＩＥＥＥ１３９４端子には、例えばＤ−ＶＨＳ方式などの録画可能な機器（録画機器）が接続されていて、録画機器がＩＥＥＥ１３９４経由でディジタル放送受信機の電源ＯＮ／ＯＦＦの状態を制御し、放送の録画予約を行う場合を想定する。
【０００６】
この場合、録画機器は録画を開始する時刻の前に、自らが電源ＯＮの状態に遷移し、ＩＥＥＥ１３９４を介して、ディジタル放送受信機の状態を電源ＯＮの状態に遷移させる。そして、録画機器はＩＥＥＥ１３９４経由で選局コマンドを送信して、ディジタル放送受信機を録画予約された番組の受信状態において、録画機器はＩＥＥＥ１３９４経由で番組の録画を開始する。録画予約の終了タイミングに至ると、録画機器は録画を止めるとともに、ＩＥＥＥ１３９４経由でディジタル放送受信機の状態を電源ＯＦＦの状態に遷移させる。
【０００７】
ここで、ディジタル放送受信機は、録画機器から制御される立場にあるため、録画機器の制御に従う必要があり、録画予約が終了して録画機器からの制御によりディジタル放送受信機が電源ＯＦＦの状態に遷移したとき、ディジタル放送受信機の動作状態を示す表示部は、電源ＯＦＦの状態を示す状態に切り換わる。
【０００８】
また、録画機器は、ディジタル放送受信機を制御する立場にあるため、ディジタル放送受信機の電源ＯＮ／ＯＦＦの状態を管理する必要がある。つまり、制御をかける側の処理としては、外部機器を自らの目的により稼動させるので、自らの目的が完了したら、外部機器の動作状態を元に戻す必要があり、この例の場合には、ディジタル放送受信機を電源ＯＦＦの状態に戻す必要がある。この際、録画機器は、ディジタル放送受信機を電源ＯＦＦの状態に遷移させた後、電源ＯＦＦの状態になったことを確認する必要があり、この状態の確認は、ＩＥＥＥ１３９４を介してコマンドを授受することにより可能となっている。
【０００９】
いま、録画機器がディジタル放送受信機を電源ＯＦＦの状態に遷移させた後、電源ＯＦＦの状態になったことを確認するまでの時間をＴとする。ディジタル放送受信機は、録画機器からの電源ＯＦＦのコマンド（ＬＩＮＫ−ＯＦＦコマンド）を受けると、動作状態を電源ＯＦＦの状態に遷移させ、機器の状態を示す表示部の状態を、電源ＯＦＦの状態に変更する。ここで、ディジタル放送受信機が電源ＯＦＦの状態に遷移してから、録画機器が状態を確認する時間Ｔ以内に、ＩＥＥＥ１３９４以外の電源ＯＮ／ＯＦＦ遷移手段（例えば電源キー）により、電源ＯＮの操作がディジタル放送受信機に対して行われたとする。
【００１０】
このとき、ディジタル放送受信機は、録画機器からのコマンドに従い電源ＯＦＦの状態にあるため、ＩＥＥＥ１３９４以外の電源ＯＮ／ＯＦＦ遷移手段により、電源ＯＮの指令を受けると、電源ＯＮの状態に遷移し、機器の状態を示す表示部の状態を電源ＯＮの状態に変更する。ところが、ディジタル放送受信機が電源ＯＮの状態に遷移した後に、録画機器により前記した状態の確認が行われると、録画機器は、先程自らが設定した電源ＯＦＦの状態に遷移していないと認知することになり、この際の録画機器の処理としては、電源ＯＦＦの状態を再設定することになる。したがって、ディジタル放送受信機はＩＥＥＥ１３９４経由で再び電源ＯＦＦの状態に遷移することになり、機器の状態を示す表示部の状態も、再び電源ＯＦＦの状態に変更することになる。
【００１１】
このため、ＩＥＥＥ１３９４以外の電源ＯＮ／ＯＦＦ遷移手段を操作した使用者側にとってみれば、ディジタル放送受信機を電源ＯＮの状態に遷移させ、状態を示す表示部の状態が電源ＯＮの状態になった直後に、ディジタル放送受信機は電源ＯＦＦの状態に切り換わってしまうので、電源ＯＮの操作が無効ないし受け付けられなかったと見えて、混乱をきたすことになる。つまり、この場合デジタル放送受信機は制御にしたがって正しい動作をしているにもかかわらず、制御側の制御タイミングの如何等によっては、正しく動作していないように見えてしまうことがある。なお、ＩＥＥＥ１３９４等の汎用バスを用いている場合、接続が可能な機器は多数あり、制御をする側の機器の制御状態をすべて把握、管理することは、非常に困難である。
【特許文献１】特開平１−７３８７２号公報
【特許文献２】特開平６−２９５５７８号公報
【発明の開示】
【発明が解決しようとする課題】
【００１２】
上述したように、電源キーという１つの電源ＯＮ／ＯＦＦ遷移手段のみを用いて、機器の電源をＯＮ／ＯＦＦさせる場合には、電源ＯＮ／ＯＦＦの状態を示す表示部によって、機器の電源ＯＮ／ＯＦＦ状態を把握・管理することは容易であったが、電源ＯＮ／ＯＦＦ遷移手段を複数持つ機器においては、機器は制御にしたがって正しく動作しているにもかかわらず、電源キーを操作した機器の使用者にとっては、機器が正しく動作しているようには見えないことがあり、このため、使用者に機器が故障していると判断されかねないという問題があった。これは、従来技術においては、機器の動作状態（電源ＯＮ／ＯＦＦの状態）を示す表示部しか存在しないため、使用者には、どの電源ＯＮ／ＯＦＦ遷移手段によって、機器が現在の状態に遷移したのかがわからないためである。
【００１３】
したがって本発明の解決すべき技術的課題は、上記した従来技術のもつ問題点を解消することにあり、その目的とするところは、電源ＯＮ／ＯＦＦの状態を遷移させる電源ＯＮ／ＯＦＦ遷移手段を複数持つ機器において、電源ＯＮ／ＯＦＦの切り換えが成立したとき、現在のＯＮ／ＯＦＦ状態を示す表示を切り換えるだけでなく、どの電源ＯＮ／ＯＦＦ遷移手段によって、電源のＯＮ／ＯＦＦ状態が切り換えられたのかを表示することにより、機器の使用者が、機器の電源ＯＮ／ＯＦＦ状態の把握・管理に混乱をきたす虞のないようにすることにある。
【課題を解決するための手段】
【００１４】
本発明は上記した目的を達成するため、電源ＯＮ／ＯＦＦの状態を遷移させるための電源ＯＮ／ＯＦＦ遷移手段を複数持つ機器において、現在の電源ＯＮ／ＯＦＦの状態を示す表示手段と、どの電源ＯＮ／ＯＦＦ遷移手段によって制御されたかを示す表示手段とを具備し、現在の電源ＯＮ／ＯＦＦの状態を示す前記表示手段と、どの前記電源ＯＮ／ＯＦＦ遷移手段によって制御されたかを示す前記表示手段とは、発光色の異なる複数の発光源を持つとともに発光色の組み合わせによる色表現が可能な１つの表示部によって構成され、発光色の相違によって、前記した現在の電源ＯＮ／ＯＦＦの状態と、前記したどの前記電源ＯＮ／ＯＦＦ遷移手段によって制御されたかを、表すように構成する。
【発明の効果】
【００１５】
本発明によれば、電源ＯＮ／ＯＦＦの状態を遷移させる電源ＯＮ／ＯＦＦ遷移手段を複数持つ機器において、電源ＯＮ／ＯＦＦの切り換えが成立したとき、現在のＯＮ／ＯＦＦ状態を示す表示を切り換えるだけでなく、どの電源ＯＮ／ＯＦＦ遷移手段によって、電源のＯＮ／ＯＦＦ状態が切り換えられたのかを表示することにより、機器の使用者が、機器の電源ＯＮ／ＯＦＦ状態の把握・管理に混乱をきたす虞のないようにすることができる。また、現在の電源ＯＮ／ＯＦＦの状態を示す表示手段と、どの電源ＯＮ／ＯＦＦ遷移手段によって制御されたかを示す表示手段とを、発光色の異なる複数の発光源を持つ１つの表示部によって構成しているので、部品点数の削減を図れ、また多様な状態表示を行うことができる。
【発明を実施するための最良の形態】
【００１６】
以下、本発明の実施の形態を、図面を用いて説明する。
【００１７】
図１は、本発明の第１実施形態に係る、電源ＯＮ／ＯＦＦ遷移手段を複数持つ機器の要部構成を示す図である。図１において、１０１はリモコン受光部、１０２は本体電源キー、１０３はＩＥＥＥ１３９４デコード部、１０４は機器の動作状態を管理するマイコン、１０５は電源回路、１０６は電源ＯＮを示す動作状態表示部、１０７は電源ＯＦＦを示す動作状態表示部、１０８は電源キー（本体電源キー１０２または図示せぬリモコン）によって動作状態が遷移したことを示す表示部、１０９はＩＥＥＥ１３９４によって動作状態が遷移したことを示す表示部、１１０は機器の各機能を担う各種回路部である。
【００１８】
各表示部１０６〜１０９は、ＬＥＤ、抵抗を具備しており、例えば表示部１０６のＬＥＤは点灯時には緑色に発光し、表示部１０７のＬＥＤは点灯時には赤色に発光し、表示部１０８、１０９のＬＥＤは点灯時には緑色または赤色に発光するようになっているが、これら各表示部１０６〜１０９の発光色は、本実施形態では任意であり、全てが同一発光色であってもよい。
【００１９】
まず、本実施形態の機器が電源ＯＦＦの状態を想定する。電源ＯＦＦの状態では、機器は稼動していないため、電源回路１０５、各種回路部１１０は稼動していない状態にある。また、電源ＯＮを示す動作状態表示部１０６は稼動せず、電源ＯＦＦを示す動作状態表示部１０７が稼動している状態にある。また、どの電源ＯＮ／ＯＦＦ遷移手段によって動作状態が切り換えられたかを示す表示部１０８、１０９は、現在の状態を確定させた電源ＯＮ／ＯＦＦ遷移手段に対応する側の表示部が稼動するもので、同時に稼動することはなく、いずれか一方のみが稼動している状態である。この状態において、機器の動作状態を管理するマイコン１０４は、本体電源キー１０２が押されるか（本体電源キー１０２の押下に相当するリモコンコードが到来することも含む）、または、ＩＥＥＥ１３９４のＬＩＮＫ−ＯＮコマンドが到来するまで、現状を維持する（つまり、電源ＯＮが指示されたと判定されるまでは現状を維持する）。
【００２０】
図２は、電源ＯＦＦの状態から電源ＯＮの状態に遷移するときの処理フローを示している。上記した電源ＯＦＦの待機状態において、本体電源キー１０２が押されると（本体電源キー１０２の押下に相当するリモコンコードが到来することも含む）、すなわち、図２のステップＳ１において、マイコン１０４がＹＥＳ判定をすると、マイコン１０４は、電源ＯＦＦを示す動作状態表示部１０７の稼動（点灯）を終了し、電源ＯＮを示す動作状態表示部１０６の稼動（点灯）を開始する（ステップＳ３）。また、この場合には、電源キーによる動作状態の変化のため、ＩＥＥＥ１３９４によって動作状態が遷移したことを示す表示部１０９が稼動（点灯）状態であれば、この稼動を終了すると共に、電源キーによって動作状態が遷移したことを示す表示部１０８が非稼動（消灯）状態であれば、表示部１０８の稼動（点灯）を開始し、表示部１０８が稼動状態であれば、この状態を維持させる（ステップＳ３）。その後、電源回路１０５を稼動させ、各種回路部１１０を稼動させて（ステップＳ４）、機器を稼動状態に遷移させる。
【００２１】
また、前記の電源ＯＦＦの待機状態において、ＩＥＥＥ１３９４デコード部１０４からのＬＩＮＫ−ＯＮコマンドをマイコン１０４が受信すると、すなわち、図２のステップＳ２おいて、マイコン１０４がＹＥＳ判定をすると、マイコン１０４は、電源ＯＦＦを示す動作状態表示部１０７の稼動（点灯）を終了し、電源ＯＮを示す動作状態表示部１０６の稼動（点灯）を開始する（ステップＳ５）。また、この場合には、ＩＥＥＥ１３９４による動作状態の変化のため、電源キーによって動作状態が遷移したことを示す表示部１０８が稼動（点灯）状態であれば、この稼動を終了すると共に、ＩＥＥＥ１３９４によって動作状態が遷移したことを示す表示部１０９が非稼動（消灯）状態であれば、表示部１０９の稼動（点灯）を開始し、表示部１０９が稼動状態であれば、この状態を維持させる（ステップＳ５）。その後、電源回路１０５を稼動させ、各種回路部１１０を稼動させて（ステップＳ６）、機器を稼動状態に遷移させる。
【００２２】
次に、本実施形態の機器が上記した稼動状態にあるときを想定する。機器が稼動状態にあるときには、電源回路１０５、各種回路部１１０が稼動している状態であり、当然、機器は電源ＯＮ状態にある。このとき、電源ＯＮを示す動作状態表示部１０６が稼動しており、電源ＯＦＦを示す動作状態表示部１０７は稼動していない状態にある。また、どの電源ＯＮ／ＯＦＦ遷移手段によって動作状態が切換えられたかを示す表示部１０８、１０９は、現在の状態を確定させた電源ＯＮ／ＯＦＦ遷移手段に対応する側の表示部が稼動するもので、同時に稼動することはなく、いずれか一方が稼動している状態である。この状態において、機器の動作状態を管理するマイコン１０４は、本体電源キー１０２が押されるか（本体電源キー１０２の押下に相当するリモコンコードが到来することも含む）、または、ＩＥＥＥ１３９４のＬＩＮＫ−ＯＦＦコマンドが到来するまで、現状を維持する（つまり、電源ＯＦＦが指示されたと判定されるまでは現状を維持する）。
【００２３】
図３は、機器の稼動状態（電源ＯＮの状態）から電源ＯＦＦの状態に遷移するときの処理フローを示している。前記稼動状態において、本体電源キー１０２が押されると（本体電源キー１０２の押下に相当するリモコンコードが到来することも含む）、すなわち、図３のステップＳ１１において、マイコン１０４がＹＥＳ判定をすると、マイコン１０４は、電源ＯＮを示す動作状態表示部１０６の稼動（点灯）を終了し、電源ＯＦＦを示す動作状態表示部１０７の稼動（点灯）を開始する（ステップ１３）。また、この場合には、電源キーによる動作状態の変化のため、ＩＥＥＥ１３９４によって動作状態が遷移したことを示す表示部１０９が稼動（点灯）状態であれば、この稼動を終了するとともに、電源キーによって動作状態が遷移したことを示す表示部１０８が非稼動（消灯）状態であれば、表示部１０８の稼動を開始し、表示部１０８が稼動状態であれば、この状態を維持させる（ステップＳ１３）。その後、電源回路１０５の稼動を終了させ、各種回路部１１０の稼動を終了させて（ステップＳ１４）、機器を前記した待機状態に遷移させる。
【００２４】
また、前記稼動状態において、ＩＥＥＥ１３９４デコード部１０４からのＬＩＮＫ−ＯＦＦコマンドをマイコン１０４が受信すると、すなわち、図２のステップＳ１２おいて、マイコン１０４がＹＥＳ判定をすると、マイコン１０４は、電源ＯＮを示す動作状態表示部１０６の稼動（点灯）を終了し、電源ＯＦＦを示す動作状態表示部１０７の稼動（点灯）を開始する（ステップＳ１５）。また、この場合には、ＩＥＥＥ１３９４による動作状態の変化のため、電源キーによって動作状態が遷移したことを示す表示部１０８が稼動（点灯）状態であれば、この稼動を終了すると共に、ＩＥＥＥ１３９４によって動作状態が遷移したことを示す表示部１０９が非稼動（消灯）状態であれば、表示部１０９の稼動（点灯）を開始し、表示部１０９が稼動状態であれば、この状態を維持させる（ステップＳ１５）。その後、電源回路１０５の稼動を終了させ、各種回路部１１０の稼動を終了させて（ステップＳ１６）、機器を前記した待機状態に遷移させる。
【００２５】
以上のように、本実施形態では、電源ＯＮ／ＯＦＦの切り換えが成立したとき、現在のＯＮ／ＯＦＦ状態を示す表示を切り換えるだけでなく、どの電源ＯＮ／ＯＦＦ遷移手段によって、電源のＯＮ／ＯＦＦ状態が切り換えられたのかを表示するので、機器の使用者が、機器の電源ＯＮ／ＯＦＦ状態の把握・管理に混乱をきたす虞のないようにすることができる。
【００２６】
なお、上述した本実施形態では、電源ＯＮを示す動作状態表示部１０６と電源ＯＦＦを示す動作状態表示部１０７とを個別に設けているが、この動作状態表示部１０６と１０７を１つの動作状態表示部とし、点灯と非点灯とで電源ＯＮ状態と電源ＯＦＦ状態を表すようにしてもよい。かような構成をとれば、表示部を１つ減らすことが可能となり、部品点数を削減できるとともに、表示部の配置スペースファクター性を向上させることができる。
【００２７】
図４は、本発明の第２実施形態に係る、電源ＯＮ／ＯＦＦ遷移手段を複数持つ機器の要部構成を示す図であり、同図において、図１の前記第１実施形態と同一の構成要素には同一符号を付し、その説明は重複を避けるため割愛する。
【００２８】
本実施形態では、ＬＥＤ、抵抗の組からなる３つの表示ユニット１１１ａ、１１１ｂ、１１１ｃによって表示部１１１を構成しており、本実施形態では、１つの表示部１１１が、電源ＯＮ／ＯＦＦの状態を表す表示手段と、どの電源ＯＮ／ＯＦＦ遷移手段によって制御されたかを示す表示手段とを、兼用するようになっている。表示ユニット１１１ａは点灯時には赤色に発光し、表示ユニット１１１ｂは点灯時には緑色に発光し、表示ユニット１１１ｃは点灯時には青色に発光するものとなっており、また、赤色と緑色を同時に点灯させることによりイエロー（黄色）で発光し、緑色と青色を同時に点灯させることによりシアン（青緑色）で発光し、青色と赤色を同時に発光させることによりマゼンタ（赤紫色）で発光するようになっている。
【００２９】
そして本実施形態では、例えば、表示部１１１で緑色を表示した場合には、電源ＯＮ状態でかつ電源キーによって制御されたことを表し、表示部１１１で青色を表示した場合は、電源ＯＮ状態でかつＩＥＥＥ１３９４によって制御されたことを表し、表示部１１１で赤色を表示した場合には、電源ＯＦＦ状態でかつ電源キーによって制御されたことを表し、表示部１１１で赤紫色を表示した場合は、電源ＯＦＦ状態でかつＩＥＥＥ１３９４によって制御されたことを表すようになっている。
【００３０】
かような構成と表示手法をとる本実施形態においても、機器の使用者が、機器の電源ＯＮ／ＯＦＦ状態の把握・管理に混乱をきたす虞のないようにすることができる。また、図１の構成に比して部品点数を削減することができ、さらに、６つの発光色を全て利用することも可能であるので、より多様な状態表示を行うことも可能となる。
【図面の簡単な説明】
【００３１】
【図１】本発明の第１実施形態に係る、電源ＯＮ／ＯＦＦ遷移手段を複数持つ機器の要部構成を示すブロック図である。
【図２】本発明の第１実施形態の機器における、電源ＯＦＦの状態から電源ＯＮの状態に遷移するときの処理フローを示すフローチャートである。
【図３】本発明の第１実施形態の機器における、電源ＯＮの状態から電源ＯＦＦの状態に遷移するときの処理フローを示すフローチャートである。
【図４】本発明の第２実施形態に係る、電源ＯＮ／ＯＦＦ遷移手段を複数持つ機器の要部構成を示すブロック図である。
【符号の説明】
【００３２】
１０１  リモコン受光部
１０２  本体電源キー
１０３  ＩＥＥＥ１３９４デコード部
１０４  マイコン
１０５  電源回路
１０６  電源ＯＮを示す動作状態表示部
１０７  電源ＯＦＦを示す動作状態表示部
１０８  電源キーによって動作状態が遷移したことを示す表示部
１０９  ＩＥＥＥ１３９４によって動作状態が遷移したことを示す表示部
１１０  各種回路部
１１１  表示部
１１１ａ〜１１１ｃ  表示ユニット
【図１】
2005353095.tif 000003
【図２】
2005353095.tif 000004
【図３】
2005353095.tif 000005
【図４】
2005353095.tif 000006